(57)【要約】【課題】従来の充電ユニットは、当該充電ユニットの上に載置された被充電デバイスの充電情報を、予め定められた領域に表示させていた。そのため、例えば複数の被充電デバイスが充電ユニット上に載置された場合、ユーザは、被充電デバイスの充電情報を認識することが困難であった。【解決手段】充電ユニットは、被充電デバイスを載置する載置台と、載置台に載置された被充電デバイスの位置を検出する位置検出部と、被充電デバイスの充電池を非接触により充電する充電部と、被充電デバイスから充電池の充電情報を取得する取得部と、載置台に重畳して設置され、検出された被充電デバイスの位置から予め定められた範囲に含まれるように充電情報に関するオブジェクトを表示する表示部とを備える。【選択図】図１
2014003790.tif 000002
【特許請求の範囲】
【請求項１】
被充電デバイスを載置する載置台と、
前記載置台に載置された前記被充電デバイスの位置を検出する位置検出部と、
前記被充電デバイスの充電池を非接触により充電する充電部と、
前記被充電デバイスから前記充電池の充電情報を取得する取得部と、
前記載置台に重畳して設置され、検出された前記被充電デバイスの位置から予め定められた範囲に含まれるように前記充電情報に関するオブジェクトを表示する表示部と
を備える充電ユニット。
【請求項２】
前記表示部は、前記充電情報としての充電進行状況を、前記オブジェクトを動的に変化させて表示する請求項１に記載の充電ユニット。
【請求項３】
前記表示部は、前記被充電デバイスの利用可能状況の変化に同期させて前記オブジェクトを表示する請求項２に記載の充電ユニット。
【請求項４】
前記利用可能状況は、予め定められた条件に基づく継続利用可能時間である請求項３に記載の充電ユニット。
【請求項５】
前記表示部は、前記充電情報としての充電目標を表す前記オブジェクトを表示する請求項１から４のいずれか１項に記載の充電ユニット。
【請求項６】
前記表示部は、前記充電情報と共に、または前記充電情報と切り替えて、前記充電情報以外の付随情報に関するオブジェクトを表示する請求項１から５のいずれか１項に記載の充電ユニット。
【請求項７】
前記表示部は、前記オブジェクトとして、検出された前記被充電デバイスの位置を中心とする円を表示する請求項１から６のいずれか１項に記載の充電ユニット。
【請求項８】
前記表示部は、表示内容に基づいて表示態様を変更する請求項１から７のいずれか１項に記載の充電ユニット。
【請求項９】
前記取得部は、前記被充電デバイスから前記被充電デバイスの動作状況に関する動作情報を併せて取得し、
前記表示部は、前記動作情報に基づいて表示態様を変更する請求項１から８のいずれか１項に記載の充電ユニット。
【請求項１０】
前記位置検出部が前記被充電デバイスの位置の変更を検出した場合は、前記表示部は、前記オブジェクトの表示位置を変更する請求項１から９のいずれか１項に記載の充電ユニット。
【請求項１１】
前記位置検出部が複数の前記被充電デバイスの位置を検出した場合は、前記表示部は、それぞれに対応する複数の前記オブジェクトを表示する請求項１から１０のいずれか１項に記載の充電ユニット。
【請求項１２】
前記表示部は、充電を優先する前記被充電デバイスが視認されるよう前記オブジェクトを表示する請求項１１に記載の充電ユニット。
【請求項１３】
前記充電部がいずれかの前記被充電デバイスを充電する場合は、当該被充電デバイスが視認されるよう前記オブジェクトを表示する請求項１１または１２に記載の充電ユニット。
【請求項１４】
前記表示部は、複数の前記オブジェクトを表示する場合には、前後関係が視認できるように少なくとも一部を重ねて表示する請求項１１から１３のいずれか１項に記載の充電ユニット。
【請求項１５】
前記載置台に重畳して設置されたタッチパネルを備え、
前記タッチパネルは、前記オブジェクトの表示領域に対するユーザの接触により、充電開始の指示、充電目標の設定および充電に関する優先設定の少なくともいずれかを受け付ける請求項１から１４のいずれか１項に記載の充電ユニット。
【請求項１６】
載置台に載置された被充電デバイスの位置を検出する位置検出ステップと、
前記被充電デバイスの充電池の充電情報を前記被充電デバイスから取得する取得ステップと、
前記載置台に重畳して設置された表示部により、検出された前記被充電デバイスの位置から予め定められた範囲に含まれるように前記充電情報に関するオブジェクトを表示する表示ステップと、
前記充電池を非接触により充電する充電ステップと
をコンピュータに実行させる充電ユニットの制御プログラム。
【発明の詳細な説明】
【技術分野】
【０００１】
本発明は、充電ユニット、および充電ユニットの制御プログラムに関する。
【背景技術】
【０００２】
携帯電話、デジタルカメラ等の被充電デバイスに対して非接触にて充電を行うことができる充電ユニットが知られている。
［先行技術文献］
［特許文献］
［特許文献１］  特開２０１１−２４４６２４号公報
【発明の概要】
【発明が解決しようとする課題】
【０００３】
従来の充電ユニットは、当該充電ユニットの上に載置された被充電デバイスの充電情報を、予め定められた領域に表示させていた。そのため、複数の被充電デバイスが充電ユニット上に載置された場合等において、ユーザは、被充電デバイスの充電情報を認識することが困難であった。
【課題を解決するための手段】
【０００４】
本発明の第１の態様における充電ユニットは、被充電デバイスを載置する載置台と、載置台に載置された被充電デバイスの位置を検出する位置検出部と、被充電デバイスの充電池を非接触により充電する充電部と、被充電デバイスから充電池の充電情報を取得する取得部と、載置台に重畳して設置され、検出された被充電デバイスの位置から予め定められた範囲に含まれるように充電情報に関するオブジェクトを表示する表示部とを備える。
【０００５】
本発明の第２の態様における充電ユニットの制御プログラムは、載置台に載置された被充電デバイスの位置を検出する位置検出ステップと、被充電デバイスの充電池の充電情報を被充電デバイスから取得する取得ステップと、載置台に重畳して設置された表示部により、検出された被充電デバイスの位置から予め定められた範囲に含まれるように充電情報に関するオブジェクトを表示する表示ステップと、充電池を非接触により充電する充電ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る充電ユニットの全体斜視図である。
【図２】本実施形態に係る充電ユニットと、充電ユニットに載置される端末装置のブロック図である。
【図３】本実施形態に係る給電コイル駆動部の上面図である。
【図４】第一の実施形態に係るオブジェクトの表示処理を説明する図である。
【図５】第二の実施形態に係るオブジェクトの表示処理を説明する図である。
【図６】端末装置の充電中に、ユーザによって端末装置が動かされた場合におけるオブジェクトの表示処理を説明する図である。
【図７】充電ユニットを用いて、複数の端末装置を充電する場合のオブジェクトの表示処理を説明する図である。
【図８】複数の端末装置を充電する場合において、ユーザが充電の優先順位を指定する場合のオブジェクトの表示処理を説明する図である。
【図９】ユーザが充電目標を設定する場合のオブジェクトの表示処理を説明する図である。
【図１０】ユーザが、充電ユニットの表示部に表示させるオブジェクトの種類を変更する場合における表示処理を説明する図である。
【図１１】図６および図９を用いて説明した実施形態の動作フローを示すフローチャートである。
【発明を実施するための形態】
【０００８】
以下、発明の実施の形態を通じて本発明を説明するが、以下の実施形態は、特許請求の範囲に係る発明を限定するものではない。また、実施形態の中で説明されている特徴の組み合わせの全てが、発明の解決手段に必須であるとは限らない。
【０００９】
図１は、本実施形態に係る充電ユニット１００の全体斜視図である。なお、図示するように、鉛直上方をｚ軸プラス方向、充電ユニット１００の幅方向右方をｘ軸プラス方向、充電ユニット１００の奥行き方向をｙ軸プラス方向と定める。充電ユニット１００は、例えばカメラ付き携帯電話のような端末装置２００を非接触にて充電する装置である。被充電デバイスとしての端末装置２００は、充電ユニット１００の上に載置されて充電される。非接触充電方式としては、磁気共鳴方式、電磁誘導方式、電解結合方式等が例として挙げられる。本実施形態において、充電ユニット１００は、電磁誘導方式を採用する。充電ユニット１００は、充電部１０１と、充電部１０１の上側に配置される位置検出部１０２と、位置検出部１０２の上側に配置される表示パネル１０３と、タッチパネル１０９を備える。
【００１０】
充電部１０１は、端末装置２００を充電する部材であって、給電コイルと、給電コイルをｘｙ平面方向に駆動する給電コイル駆動部を内蔵している。充電部１０１には、電源スイッチ１０５と、電源コンセント１０６とが、それぞれ設けられている。ユーザは、充電ユニット１００を起動する場合、電源コンセント１０６をＡＣ電源に接続し、電源スイッチ１０５をオンとする。ＡＣ電源から供給された電力は、充電部１０１に内蔵された充電ユニット電源部を経て、充電ユニット１００の構成要素へと供給される。充電ユニット電源部の詳細については後述する。また、充電部１０１には、充電ユニット１００を外部機器であるＰＣ３００に接続するための通信ケーブル３０１が連結される。
【００１１】
位置検出部１０２の内部には、端末装置２００に内蔵された受電コイルの位置を検出するための複数の位置検出コイルが、マトリクス状に配設されている。表示パネル１０３は、液晶パネルから構成され、枠部１０７と表示領域１０８とを含む。表示パネル１０３は、端末装置２００の位置から予め定められた範囲に含まれるように、当該端末装置２００の充電状況等の充電情報に関する円形のオブジェクト４００を表示パネル１０３に表示する。
【００１２】
充電部１０１に積層して配置されている、位置検出部１０２、表示パネル１０３およびタッチパネル１０９は、全体として端末装置２００を載置しても撓むことのない剛性を備える。したがって、これらは、充電ユニット１００において端末装置２００を載置する載置台としての役割を担う。もちろん、表面保護、剛性確保等の目的に合わせて、透明樹脂板、金属枠体等を載置台の一部として備えてもよい。
【００１３】
上記したように、本実施形態に係る充電ユニット１００は、端末装置２００の位置から予め定められた範囲に含まれるように、当該端末装置２００の充電状況等の充電情報に関するオブジェクト４００を表示する。したがって、ユーザは、端末装置２００の二次電池の充電状態をオブジェクト４００の形状として視覚的に認識することができる。なお、オブジェクト４００は、表示パネル１０３によって表示される模様、アイコン、文字列、画像等の表示素材であり、対応付けられた情報をユーザに視覚的に告知する。オブジェクトは、それぞれにおいて、色、大きさ、線の太さなどによって視覚効果を変更させて得る。視覚効果の変更は、告知する情報の変化を表すばかりでなく、美感を喚起する場合にも実行され得る。また、複数のオブジェクトを組み合わせてひとつのオブジェクトとして扱う場合もある。
【００１４】
表示パネル１０３は、載置台の一部として構成されているので、ユーザは、表示パネル１０３に表示されたオブジェクトを様々な角度から視認でき、端末装置２００の充電状態を即座に把握することができる。また、後述するように、充電ユニット１００を用いて複数の端末装置を充電する場合等において、ユーザは、それぞれの端末装置の充電進行状況を、視覚的に容易に認識することができる。
【００１５】
図２は、本実施形態に係る充電ユニット１００と、充電ユニット１００に載置される端末装置２００のブロック図である。充電ユニット１００は、充電制御部１１０を備える。充電制御部１１０は、充電ユニット１００を構成する各要素を、直接的または間接的に制御する。充電ユニット１００は、端末装置２００に対して非接触にて電力を供給するための給電コイル１１１を備える。給電コイル１１１は、上記したように充電部１０１の内部に収容されている。給電制御部１１２は、充電制御部１１０の制御の下で、給電コイル１１１による給電を制御する。給電コイル駆動部１２０は、充電部１０１の内部に収容されており、給電コイル１１１を支持するとともに、ｘ軸方向またはｙ軸方向に沿って給電コイル１１１を二次元的に移動させる。給電コイル駆動部１２０の構造については、後述する。
【００１６】
充電ユニット１００は、表示制御部１１４を備える。表示制御部１１４は、充電制御部１１０からの指令に応じて、オブジェクト４００等を表示パネル１０３に表示させる。表示制御部１１４は、表示パネル１０３と共に表示部１１３を構成する。ユーザがタッチパネル１０９を接触操作すると、タッチパネル１０９は、ユーザが触れた位置の座標および接触形態を検知し、ユーザによる接触操作の情報として、充電制御部１１０に出力する。充電制御部１１０は、ユーザからの操作を受け付けて、ユーザからの指示に応じた動作をするように充電ユニット１００の各要素を制御する。
【００１７】
位置検出部１０２は、マトリックス状に配設された複数の位置検出コイル１１５を内蔵する。それぞれの位置検出コイル１１５には、微弱な検出電流が流されている。充電制御部１１０は、端末装置２００が充電ユニット１００上に載置されたときに生じる各位置検出コイル１１５の検出電流の変化を検知し、端末装置２００の受電コイル２１０の位置を特定する。
【００１８】
通信部１１６は、端末装置２００側の通信部であるデバイス通信部２０８と通信する。本実施形態に係る通信部１１６は、端末装置２００から充電情報を取得する取得部として機能する。具体的には、通信部１１６は、端末装置２００から、当該端末装置２００に内蔵された二次電池２０９の残容量等の充電情報を受信する。そして、通信部１１６は、充電情報を充電制御部１１０へ出力する。充電制御部１１０は、受け取った充電情報に応じて給電制御部１１２に指令を送り、給電コイル１１１の給電を制御する。なお、通信部１１６は、充電ユニット１００の充電動作に伴って、端末装置２００から画像データを受信してもよい。この場合、充電制御部１１０は、当該画像データを、通信ケーブル３０１を介してＰＣ３００側へと送信する。一方、充電制御部１１０は、ＰＣ３００側から送信されたデータを受け取り、当該データを、通信部１１６を介して端末装置２００に送信してもよい。なお、ＰＣ３００との通信は、通信ケーブル３０１を介した有線通信に限らず、無線ＬＡＮなどの無線通信であっても良い。この場合、送受信されるデータへのノイズ混入を制御すべく、給電コイル１１１による給電動作と、無線通信による通信動作とを排他的に実行すると良い。
【００１９】
充電ワークメモリ１１７は、高速で読み書きのできるランダムアクセスメモリであり、例えばＤＲＡＭ、ＳＲＡＭなどが用いられる。充電ワークメモリ１１７は、充電動作等の各種動作を実行する場合において、バッファメモリまたはワークメモリとしての役割を担う。充電ワークメモリ１１７は、これらの役割を担うに相当する十分なメモリ容量を備える。
【００２０】
充電制御部１１０は、充電システムメモリ１１８と通信する。充電システムメモリ１１８は、電気的に消去・記録可能な不揮発性メモリであり、例えばＥＥＰＲＯＭ（登録商標）等により構成される。充電システムメモリ１１８は、充電ユニット１００の動作時に必要な定数、変数、プログラム等を、充電ユニット１００の非動作時にも失われないように記録している。充電制御部１１０は、定数、変数、プログラム等を適宜充電ワークメモリ１１７に展開して、充電ユニット１００の制御に利用する。充電ユニット電源部１１９は、ユーザによって電源スイッチ１０５がオンとされた場合に、電源コンセント１０６を介してＡＣ電源から送られる電力を、充電制御部１１０を始め、充電ユニット１００を構成する各要素に供給する。
【００２１】
端末装置２００は、デバイスシステム制御部２０１を備える。デバイスシステム制御部２０１は、端末装置２００を構成する各要素を、直接的または間接的に制御する。端末装置２００は、撮像ユニット２０２を備える。撮像ユニット２０２は、光学系、撮像素子、画像処理部、Ａ／Ｄ変換器等を含み、取り込んだ被写体像を光電変換し、デジタルデータとしての画像データを生成する。生成された画像データは、デバイスシステム制御部２０１の制御のもと、記録部２０３に記録される。
【００２２】
デバイスワークメモリ２０４は、高速で読み書きのできるランダムアクセスメモリであり、例えばＤＲＡＭ、ＳＲＡＭなどが用いられる。また、デバイスワークメモリ２０４は、撮像ユニット２０２が行う画像処理において、バッファメモリまたはワークメモリとしての役割を担う。デバイスワークメモリ２０４は、これらの役割を担うに相当する十分なメモリ容量を備える。
【００２３】
デバイスシステム制御部２０１は、デバイスシステムメモリ２０５と通信する。デバイスシステムメモリ２０５は、電気的に消去・記録可能な不揮発性メモリであり、例えばＥＥＰＲＯＭ（登録商標）等により構成される。デバイスシステムメモリ２０５は、端末装置２００の動作時に必要な定数、変数、プログラム等を、端末装置２００の非動作時にも失われないように記録している。デバイスシステム制御部２０１は、定数、変数、プログラム等を適宜デバイスワークメモリ２０４に展開して、端末装置２００の制御に利用する。
【００２４】
端末装置２００は、液晶パネル等から構成されるデバイス表示パネル２０６と、デバイス表示パネル２０６を制御するデバイス表示制御部２０７を備える。デバイス表示制御部２０７は、デバイスシステム制御部２０１からの指令に応じて、二次電池２０９の残容量等の情報をデバイス表示パネル２０６に表示させる。デバイス通信部２０８は、上記したように、充電ユニット１００側の通信部１１６と通信する。デバイスシステム制御部２０１は、充電ユニット１００側から、残容量等に関する充電情報の送信要求を受けると、デバイス通信部２０８を介して充電ユニット１００側に要求された充電情報を送信する。
【００２５】
端末装置２００は、当該端末装置２００を駆動するための電力を蓄電する二次電池２０９と、受電コイル２１０とを備える。二次電池２０９は、ニッケル水素電池、リチウムイオン電池などの繰り返し充電できる充電池である。受電コイル２１０は、上記した給電コイル１１１から受け取った電力により二次電池２０９を充電する。また、受電コイル２１０は、二次電池２０９の残容量を検出する回路を含む。
【００２６】
図３は、本実施形態に係る給電コイル駆動部１２０の上面図である。給電コイル駆動部１２０は、ｘ軸方向に沿って延びる第一ボールネジ１２１および第一支持レール１２７と、第一ボールネジ１２１を回転駆動する第一モータ１２２と、第一ボールネジ１２１から第一支持レール１２７に亘って延びる第一コイル駆動レール１３０を有する。
【００２７】
第一ボールネジ１２１は、第一支持レール１２７よりｙ軸プラス方向側に配置されている。第一ボールネジ１２１は、その両端部が取り付け部材１２５および取り付け部材１２６によって回転可能に支持されている。取り付け部材１２５および取り付け部材１２６は、充電部１０１本体に固定される。第一支持レール１２７は、円柱状の棒部材であって、その両端部が取り付け部材１２８および取り付け部材１２９によって固定支持されている。取り付け部材１２８および取り付け部材１２９は、充電部１０１本体に固定される。
【００２８】
第一コイル駆動レール１３０は、ｙ軸方向に沿って真直ぐに延びる棒部材である。第一コイル駆動レール１３０のｙ軸プラス方向側端部には、ネジ連結部１３１が固定されている。ネジ連結部１３１には、ｘ軸方向に貫通する貫通孔が形成されている。そして、当該貫通孔の内壁面には、ボールネジ１２１と噛合するネジ部が形成されている。
【００２９】
一方、第一コイル駆動レール１３０のｙ軸マイナス方向側の端部には、レール連結部１３２が固定されている。レール連結部１３２には、ｘ軸方向に貫通する貫通孔が形成されている。そして、当該貫通孔に、第一支持レール１２７が挿通されている。レール連結部１３２は、第一支持レール１２７に沿って相対的に移動することができる。
【００３０】
第一モータ１２２は、例えばステッピングモータによって構成され、ボールネジ１２１をｘ軸周りに回転駆動する。第一モータ１２２がボールネジ１２１を回転駆動すると、ボールネジ１２１と噛合するネジ連結部１３１は、第一モータ１２２の回転方向に応じてｘ軸方向に移動する。ネジ連結部１３１の移動に伴って、コイル駆動レール１３０およびレール連結部１３２も、ｘ軸方向に一体となって移動する。
【００３１】
給電コイル駆動部１２０は、ｙ軸方向に沿って延びる第二ボールネジ１２３および第二支持レール１３３と、第二ボールネジ１２３を回転駆動する第二モータ１２４と、第二ボールネジ１２３から第二支持レール１３３に亘って延びる第二コイル駆動レール１３６を有する。第二ボールネジ１２３は、第二支持レール１３３よりｘ軸プラス方向側に配置されている。第二ボールネジ１２３は、その両端部が取り付け部材１４０および取り付け部材１４１によって回転可能に支持されている。取り付け部材１４０および取り付け部材１４１は、充電部１０１本体に固定される。第二支持レール１３３は、円柱状の棒部材であって、その両端部が取り付け部材１３４および取り付け部材１３５によって支持されている。取り付け部材１３４および取り付け部材１３５は、充電部１０１本体に固定される。
【００３２】
第二コイル駆動レール１３６は、ｘ軸方向に沿って真直ぐに延びる棒部材である。第二コイル駆動レール１３６のｘ軸プラス方向側端部には、ネジ連結部１３７が固定されている。ネジ連結部１３７には、ｙ軸方向に貫通する貫通孔は形成されている。そして、当該貫通孔の内壁面には、第二ボールネジ１２３と噛合するネジ部が形成されている。
【００３３】
一方、第二コイル駆動レール１３６のｘ軸マイナス方向側の端部には、レール連結部１３８が固定されている。レール連結部１３８には、ｙ軸方向に貫通する貫通孔が形成されている。そして、当該貫通孔に、第二支持レール１２７が挿通されている。レール連結部１３２は、第一支持レール１２７に沿って相対的に移動することができる。
【００３４】
第二モータ１２４は、第一モータ１２２と同様に、例えばステッピングモータによって構成され、第二ボールネジ１２３を、ｙ軸周りに回転駆動する。第二モータ１２４が第二ボールネジ１２３を回転駆動すると、第二ボールネジ１２３と噛合するネジ連結部１３７は、第二モータ１２４の回転方向に応じてｙ軸方向に移動する。ネジ連結部１３７の移動に伴って、第二コイル駆動レール１３６およびレール連結部１３８も、ｙ軸方向に一体となって移動する。
【００３５】
給電コイル１１１は、コイル支持台１３９に取り付けられている。コイル支持台１３９には、ｙ軸方向に貫通する第一貫通孔と、ｘ軸方向に貫通する第二貫通孔とが形成されている。第一貫通孔と第二貫通孔とは、互いにｚ軸方向の位置が異なるように形成される。第一貫通孔には、第一コイル駆動レール１３０が挿通されており、コイル支持台１３９は、第一コイル駆動レール１３０に沿って摺動する。同様に、第二貫通孔には、第二コイル駆動レール１３６が挿通されており、コイル支持台１３９は、第二コイル駆動レール１３６に沿って摺動する。
【００３６】
第一コイル駆動レール１３０がｘ軸方向に移動すると、第一コイル駆動レール１３０が第一貫通孔の壁面を押す。そして、コイル支持台１３９は、第一コイル駆動レール１３０とともにｘ軸方向に移動する。同様に、第二コイル駆動レール１３６がｙ軸方向に移動すると、第二コイル駆動レール１３６が第二貫通孔の壁面を押す。そして、コイル支持台１３９は、第二コイル駆動レール１３６とともにｙ軸方向に移動する。上記した構成により、コイル支持台１３９は、第一モータ１２２および第二モータ１２４の回転駆動によって、ｘｙ平面上を二次元的に移動する。
【００３７】
なお、給電コイル１１１への電力は、給電制御部１１２と接続された可撓性の給電導線１４２を介して供給される。給電導線１４２は、上述のようなコイル支持台１３９の移動を妨げない。なお、給電導線１４２は、フレキシブル基板によって構成されても良い。
【００３８】
図４は、第一の実施形態に係るオブジェクト４００の表示処理を説明する図である。なお、図４の左側には、充電ユニット１００の上に端末装置２００を載置し、端末装置２００を充電している状態を上側からみた図を示す。また、図４の右側には、端末装置２００のデバイス表示パネル２０６が、二次電池２０９の充電状態を表す充電アイコンを表示している図を示す。
【００３９】
端末装置２００が充電ユニット１００の上に載置されると、充電制御部１１０は、位置検出部１０２に配設された位置検出コイル１１５の電流の変化を監視して、載置された端末装置２００の受電コイル２１０の位置を特定する。充電制御部１１０は、給電コイル駆動部１２０に指令を送り、給電コイル１１１を、特定した受電コイル２１０の位置に配置させる。そして、充電制御部１１０は、通信部１１６を介してデバイス通信部２０８と通信し、二次電池２０９の最大容量および残容量に関する充電情報を端末装置２００から取得する。充電制御部１１０は、充電ユニット１００から受け取った最大容量および残容量に関する情報に応じて、オブジェクト４００のデータを生成する。そして、充電制御部１１０は、表示制御部１１４に指令を送り、表示パネル１０３にオブジェクト４００を表示させる。一方、端末装置２００の充電動作に伴って、端末装置２００側において、デバイスシステム制御部２０１は、デバイス表示制御部２０７に指令を送り、二次電池２０９の残容量を示す充電アイコンを、デバイス表示パネル２０６に表示させる。
【００４０】
本実施形態に係るオブジェクト４００は、二次電池２０９の最大容量および未充電容量を表現した円形のオブジェクトとして、充電ユニット１００の表示パネル１０３に表示される。具体的には、オブジェクト４００は、二次電池２０９の最大容量を示す最大容量オブジェクト４０１と、二次電池２０９の未充電容量、すなわち、充電することができる容量を示す未充電容量オブジェクト４０２とを含む。
【００４１】
本実施形態においては、最大容量オブジェクト４０１は、端末装置２００において基準となる基準位置を中心として、予め定められた半径を有する破線の円として表現されている。なお、二次電池２０９の最大容量が１０００ｍＡｈである場合、最大容量オブジェクト４０１は、端末装置２００を中心として１０ｃｍ〜１５ｃｍ程度の半径の円として表現される。また、未充電容量オブジェクト４０２は、二次電池２０９の未充電容量に応じて、その半径が、端末装置２００において基準となる基準位置を中心として、予め定められた範囲内で変化する円形の領域として表現されている。
【００４２】
例えば、充電制御部１１０は、受電コイル２１０の中心位置を上記基準位置として、オブジェクト４００を表示する。また、充電制御部１１０は、検出した受電コイル２１０の中心位置から、端末装置２００の外形形状を基準とする中心位置を推定し、当該中心位置を上記の基準位置として、オブジェクト４００を表示してもよい。具体的には、充電制御部１１０は、受電コイル２１０の中心位置と端末装置２００の外形形状を基準とする中心位置との関係を示す位置関係情報、および端末装置２００が備える磁気センサの出力による方位角情報を、予め端末装置２００から受信する。そして、充電制御部１１０は、受電コイル２１０の中心位置を特定した後に、位置関係情報および方位角情報を参照し、載置された端末装置２００の向きを定めた上で、外形形状を基準とする中心位置を同定する。また、充電制御部１１０は、端末装置２００のデバイス表示パネル２０６の中心、端末装置２００本体の角部等、予め定められた位置を基準位置として、オブジェクト４００を表示してもよい。
【００４３】
図４（ａ）は、端末装置２００の二次電池２０９の残容量が０％である状態を示す。二次電池２０９の残容量が０％である状態においては、充電制御部１１０は、最大容量オブジェクト４０１と同一の大きさの円領域として表現される未充電容量オブジェクト４０２を、表示パネル１０３に表示させる。この場合のオブジェクト４００は、二次電池２０９を充電することができる容量が二次電池２０９の最大容量に等しいことを示す。一方、端末装置２００側においては、デバイスシステム制御部２０１が、二次電池２０９の残容量が０％であることを示す充電アイコン２１１を、デバイス表示パネル２０６に表示させる。
【００４４】
図４（ｂ）は、端末装置２００の二次電池２０９の残容量が３０％となるまで充電された状態を示す。この場合、充電制御部１１０は、最大容量オブジェクト４０１に対して７０％の半径の円領域として表現される未充電容量オブジェクト４０２を、表示パネル１０３に表示させる。この場合のオブジェクト４００は、二次電池２０９を充電することができる容量が、二次電池２０９の最大容量の７０％であることを示す。一方、端末装置２００側においては、デバイスシステム制御部２０１が、二次電池２０９の残容量が３０％であることを示す充電アイコン２１２を、デバイス表示パネル２０６に表示させる。
【００４５】
図４（ｃ）は、端末装置２００の二次電池２０９の残容量が６０％となるまで充電された状態を示す。この場合、充電制御部１１０は、最大容量オブジェクト４０１に対して４０％の半径の円領域として表現される未充電容量オブジェクト４０２を、表示パネル１０３に表示させる。この場合のオブジェクト４００は、二次電池２０９を充電することができる容量が、二次電池２０９の最大容量の４０％であることを示す。一方、端末装置２００側においては、デバイスシステム制御部２０１が、二次電池２０９の残容量が６０％であることを示す充電アイコン２１３を、デバイス表示パネル２０６に表示させる。
【００４６】
図４（ｄ）は、端末装置２００の二次電池２０９が満充電となった状態を示す。この場合、充電制御部１１０は、未充電容量オブジェクト４０２を表示せず、最大容量オブジェクト４０１のみ表示させる。この場合のオブジェクト４００は、二次電池２０９が満充電状態となり、二次電池２０９を充電することができる容量が０となったことを示す。一方、端末装置２００側においては、デバイスシステム制御部２０１が、二次電池２０９の残容量が１００％であることを示す充電アイコン２１４を、デバイス表示パネル２０６に表示させる。
【００４７】
第一の実施形態によれば、ユーザは、端末装置２００の二次電池２０９の充電状態をオブジェクト４００の形状として視覚的に認識することができる。そのため、ユーザは、表示パネル１０３に表示されたオブジェクトを様々な角度から視認でき、端末装置２００の充電状態を即座に把握することができる。
【００４８】
図５は、第二の実施形態に係るオブジェクト４１０の表示処理を説明する図である。なお、図４と同様に、図５の左側には、充電ユニット１００を用いて端末装置２００を充電している状態を上側からみた図を示す。また、図５の右側には、デバイス表示パネル２０６が二次電池２０９の充電状態を表す充電アイコンを表示している図を示す。
【００４９】
本実施形態に係るオブジェクト４１０は、二次電池２０９の最大容量および残容量を表現した円形のオブジェクトとして、充電ユニット１００の表示パネル１０３に表示される。具体的には、オブジェクト４１０は、上記した最大容量オブジェクト４０１と、二次電池２０９の残容量を示す残容量オブジェクト４１２とを含む。本実施形態においては、残容量オブジェクト４１２は、二次電池２０９の残容量に応じて、その半径が、端末装置２００における基準となる位置を中心として変化する円形の領域として表現されている。
【００５０】
図５（ａ）は、二次電池２０９の残容量が０％である状態を示す。二次電池２０９の残容量が０％である状態においては、充電制御部１１０は、残容量オブジェクト４１２を表示せず、最大容量オブジェクト４０１のみ表示させる。一方、端末装置２００側においては、デバイスシステム制御部２０１が、二次電池２０９の残容量が０％であることを示す充電アイコン２１１を、デバイス表示パネル２０６に表示させる。
【００５１】
図５（ｂ）は、二次電池２０９の残容量が３０％となるまで充電された状態を示す。この場合、充電制御部１１０は、最大容量オブジェクト４０１に対して３０％の半径の円領域として表現される残容量オブジェクト４１２を、表示パネル１０３に表示させる。一方、端末装置２００側においては、デバイスシステム制御部２０１が、二次電池２０９の残容量が３０％であることを示す充電アイコン２１２を、デバイス表示パネル２０６に表示させる。
【００５２】
図５（ｃ）は、二次電池２０９の残容量が６０％となるまで充電された状態を示す。この場合、充電制御部１１０は、最大容量オブジェクト４０１に対して６０％の半径の円領域として表現される残容量オブジェクト４１２を、表示パネル１０３に表示させる。一方、端末装置２００側においては、デバイスシステム制御部２０１が、二次電池２０９の残容量が６０％であることを示す充電アイコン２１３を、デバイス表示パネル２０６に表示させる。
【００５３】
図５（ｄ）は、二次電池２０９満充電となった状態を示す。この場合、充電制御部１１０は、最大容量オブジェクト４０１と同一の大きさの円領域として表現される残容量オブジェクト４１２を、表示パネル１０３に表示させる。一方、端末装置２００側においては、デバイスシステム制御部２０１が、二次電池２０９の残容量が１００％であることを示す充電アイコン２１４を、デバイス表示パネル２０６に表示させる。
【００５４】
第二の実施形態によれば、ユーザは、図４に示す第一の実施形態と同様に、端末装置２００の二次電池２０９の充電状態をオブジェクト４１０の形状として視覚的に認識することができる。そのため、ユーザは、表示パネル１０３に表示されたオブジェクトを様々な角度から視認でき、端末装置２００の充電状態を即座に把握することができる。
【００５５】
図６は、端末装置２００の充電中に、ユーザによって端末装置２００が動かされた場合におけるオブジェクトの表示処理を説明する図である。なお、図６においては、図４を用いて説明したオブジェクト４００を例として適用している。しかしながら、図５を用いて説明したオブジェクト４１０を同様に適用することもできる。図４と同様に、図６の左側には、充電ユニット１００を用いて端末装置２００を充電している状態を上側からみた図を示す。また、図６の右側には、端末装置２００のデバイス表示パネル２０６が、二次電池２０９の充電状態を表す充電アイコンを表示している図を示す。
【００５６】
図６（ａ）は、端末装置２００の二次電池２０９の残容量が０％である状態を示す。上記と同様に、この場合においては、充電制御部１１０は、最大容量オブジェクト４０１と同一の大きさの円領域として表現される未充電容量オブジェクト４０２を、表示パネル１０３に表示させる。一方、端末装置２００側においては、デバイスシステム制御部２０１が、二次電池２０９の残容量が０％であることを示す充電アイコン２１１を、デバイス表示パネル２０６に表示させる。
【００５７】
図６（ｂ）は、端末装置２００の二次電池２０９の残容量が３０％となるまで充電された状態を示す。この場合、充電制御部１１０は、最大容量オブジェクト４０１に対して７０％の半径の円領域として表現される未充電容量オブジェクト４０２を、表示パネル１０３に表示させる。一方、端末装置２００側においては、デバイスシステム制御部２０１が、二次電池２０９の残容量が３０％であることを示す充電アイコン２１２を、デバイス表示パネル２０６に表示させる。
【００５８】
図６（ｃ）は、端末装置２００がユーザによって動かされた後の状態を示す図である。端末装置２００がユーザによって動かされた場合、充電制御部１１０は、移動前の端末装置２００の周辺に配設された位置検出コイル１１５からの検出電流の変化によって、端末装置２００が移動したことを検出する。そして、充電制御部１１０は、端末装置２００が移動したことを検出すると、給電コイル１１１による給電を停止させる。
【００５９】
次いで、充電制御部１１０は、移動後の端末装置２００の周辺に配設された位置検出コイル１１５からの検出電流の変化によって、移動後の端末装置２００の受電コイル２１０の位置を特定する。充電制御部１１０は、給電コイル駆動部１２０に指令を送り、給電コイル１１１を、特定された受電コイル２１０の位置に配置させる。次いで、充電制御部１１０は、通信部１１６を介して端末装置２００と通信し、二次電池２０９の最大容量および残容量に関する充電情報を充電ユニット１００から再度取得する。そして、充電制御部１１０は、表示制御部１１４に指令を送り、移動後の受電コイル２１０の位置に対応する位置に、オブジェクト４００を表示させる。
【００６０】
図６（ｄ）は、移動後の端末装置２００の位置にオブジェクト４００が表示された状態を示す図である。図示するように、本実施形態においては、充電制御部１１０は、端末装置２００の移動を検出し、移動後の端末装置２００の位置に対応するように、オブジェクト４００を再度表示パネル１０３に表示させる。このようにオブジェクト４００を表示することによって、ユーザは、端末装置２００を移動させた場合においても、当該端末装置２００の充電進行状況を視覚的に容易に認識することができる。なお、充電制御部１１０は、移動前の二次電池２０９の最大容量および残容量に関する情報を充電ワークメモリ１１７に記録してもよい。そして、充電制御部１１０は、移動前に記録された充電情報を参照し、移動後の端末装置２００の位置に対応するようにオブジェクト４００を表示させてもよい。
【００６１】
図６（ｅ）は、移動後の端末装置２００に対して充電を継続して実行した後に、端末装置２００の二次電池２０９が満充電となった状態を示す。この場合、充電制御部１１０は、上記と同様に、未充電容量オブジェクト４０２を表示せず、最大容量オブジェクト４０１のみ表示させる。一方、端末装置２００側においては、デバイスシステム制御部２０１が、二次電池２０９の残容量が１００％であることを示す充電アイコン２１４を、デバイス表示パネル２０６に表示させる。
【００６２】
図７は、充電ユニット１００を用いて、複数の端末装置２００ａ，端末装置２００ｂを充電する場合のオブジェクトの表示処理を説明する図である。なお、図７においては、図４に示すオブジェクト４００を例として適用している。しかしながら、図５を用いて説明したオブジェクト４１０を同様に適用することもできる。また、図７の左側には、充電ユニット１００を用いて端末装置２００ａおよび端末装置２００ｂを充電している状態を上側からみた図を示す。また、図７の中央には、端末装置２００ａのデバイス表示パネル２０６ａが、二次電池２０９の充電状態を表す充電アイコンを表示している図を示し、図７の右側には、端末装置２００ｂのデバイス表示パネル２０６ｂが、二次電池２０９の充電状態を表す充電アイコンを表示している図を示す。
【００６３】
図７（ａ）は、二次電池２０９の残容量が０％である二つの端末装置２００ａおよび端末装置２００ｂが、充電ユニット１００の上に載置された状態を示す図である。本実施形態においては、充電制御部１１０は、充電ユニット１００の上に複数の端末装置が載置された場合、それぞれの端末装置に対応するオブジェクトを、各端末装置の位置から予め定められた範囲に含まれるように表示する。図７に示す例の場合、充電制御部１１０は、端末装置２００ａの外形の中心位置を基準として、予め定められた半径を有する円形のオブジェクト４００ａを、表示パネル１０３に表示させる。また、充電制御部１１０は、端末装置２００ｂの外形の中心位置を基準として、予め定められた半径を有する円形のオブジェクト４００ｂを、表示パネル１０３に表示させる。このようにオブジェクトを表示することによって、ユーザは、それぞれの端末装置２００ａ、端末装置２００ｂの充電進行状況を、視覚的に容易に認識することができる。
【００６４】
ここで、本実施形態に係る充電ユニット１００は、複数の端末装置を充電する場合、優先順位を定めて、優先順位の高い端末装置から順に充電する。例えば、優先順位は、充電ユニット１００に載置された順に従って定められる。また、優先順位は、充電ユニット１００に載置された順の逆順、すなわち直近に充電ユニット１００に載置された順に従って定められてもよい。
【００６５】
図示する例においては、充電ユニット１００が端末装置２００ａを端末装置２００ｂに優先して充電する場合について説明する。この場合、充電制御部１１０は、端末装置２００ａに対応するオブジェクト４００ａを、端末装置２００ｂに対応するオブジェクト４００ｂの上に重ねて表示している。したがって、ユーザは、端末装置２００ａが端末装置２００ｂに先立って優先的に充電されることを視覚的に認識することができる。
【００６６】
図７（ｂ）は、端末装置２００ａの二次電池２０９の残容量が３０％となるまで充電された状態を示す。この場合、充電制御部１１０は、最大容量オブジェクト４０１ａに対して７０％の半径の円領域として表現される未充電容量オブジェクト４０２ａを表示させる。一方、端末装置２００ａ側においては、二次電池２０９の残容量が３０％であることを示す充電アイコン２１２ａが、デバイス表示パネル２０６ａに表示される。
【００６７】
図７（ｃ）は、端末装置２００ａの二次電池２０９が満充電となった状態を示す。この場合、充電制御部１１０は、未充電容量オブジェクト４０２ａを表示せず、最大容量オブジェクト４０１ａのみ表示させる。一方、端末装置２００ａ側においては、二次電池２０９の残容量が１００％であることを示す充電アイコン２１４ａが、デバイス表示パネル２０６ａに表示される。そして、充電制御部１１０は、端末装置２００ｂに対応するオブジェクト４００ｂを、端末装置２００ａに対応するオブジェクト４００ａの上に重ねて表示する。この表示によって、ユーザは、次に端末装置２００ｂが充電されることを視覚的に認識することができる。コイル支持台１３９は、端末装置２００ｂの受電コイル２１０に対応する位置まで移動される。
【００６８】
図７（ｄ）は、端末装置２００ｂの二次電池２０９の残容量が３０％となるまで充電された状態を示す。この場合、充電制御部１１０は、最大容量オブジェクト４０１ｂに対して７０％の半径の円領域として表現される未充電容量オブジェクト４０２ｂを表示させる。一方、端末装置２００ｂ側においては、二次電池２０９の残容量が３０％であることを示す充電アイコン２１２ｂが、デバイス表示パネル２０６ａに表示される。
【００６９】
図７（ｅ）は、端末装置２００ｂの二次電池２０９が満充電となった状態を示す。この場合、充電制御部１１０は、未充電容量オブジェクト４０２ｂを表示せず、最大容量オブジェクト４０１ｂのみ表示させる。一方、端末装置２００ｂ側においては、二次電池２０９の残容量が１００％であることを示す充電アイコン２１４ｂが、デバイス表示パネル２０６ｂに表示される。
【００７０】
なお、ユーザが複数の端末装置２００を同時に置いた場合に、位置検出コイル１１５はそれぞれの端末装置２００の位置を正しく検出できても、通信部１１６はいずれの端末装置２００と通信を実行したのか正しく判断できなくなることがある。つまり、位置検出コイル１１５の検出範囲に対して通信部１１６の通信範囲が広く設定された場合に、検出したそれぞれの端末装置２００と、通信した充電情報等の関連付けに齟齬をきたすことがある。
【００７１】
そこで、同時に複数の端末装置２００が載置される状況にも対処したい場合には、通信範囲の狭い、換言すれば指向性の高い通信部１１６を複数、好ましくは想定される端末装置２００の数に合わせて設置すると良い。特に、位置検出コイル１１５の検出範囲と、それぞれの通信部１１６がカバーする通信範囲がほぼ一致するように調整すれば、より正確に上述の関連づけを行うことができる。
【００７２】
あるいは、端末装置２００側に、例えば精度の高いＧＰＳなど自らの位置を精度良く検出できる検出装置を搭載し、通信部１１６を介してこの検出装置の出力情報を充電制御部１１０へ送信しても良い。このような構成にすることにより、位置検出コイル１１５が検出した端末装置２００の位置と、通信部１１６が受信した出力情報を比較して、上述の関連づけが正しいか否かを判断することができる。
【００７３】
図８は、複数の端末装置２００ａ，端末装置２００ｂを充電する場合において、ユーザが充電の優先順位を指定する場合のオブジェクトの表示処理を説明する図である。なお、図８においては、図４に示すオブジェクト４００を例として適用している。また、図７と同様に、図８の左側には、充電ユニット１００を用いて端末装置２００ａおよび端末装置２００ｂを充電している状態を上側からみた図を示す。また、図７の中央には、端末装置２００ａのデバイス表示パネル２０６ａが、二次電池２０９の充電状態を表す充電アイコンを表示している図を示し、図７の右側には、端末装置２００ｂのデバイス表示パネル２０６ｂが、二次電池２０９の充電状態を表す充電アイコンを表示している図を示す。
【００７４】
図８（ａ）は、二次電池２０９の残容量が０％である二つの端末装置２００ａおよび端末装置２００ｂが、充電ユニット１００の上に載置された状態を示す図であって、図７（ａ）に対応する。図示する例においては、充電ユニット１００は、端末装置２００ａを端末装置２００ｂに優先して充電するものと認識し、端末装置２００ａに対応するオブジェクト４００ａが、端末装置２００ｂに対応するオブジェクト４００ｂの上に重ねて表示されている。
【００７５】
図８（ｂ）は、ユーザが、端末装置２００ｂを優先的に充電する端末装置として指定した状態を示す図である。ユーザが、端末装置２００ｂに対応するオブジェクト４００ｂの表示領域に対応するタッチパネル１０９上の領域を接触操作すると、充電制御部１１０は、ユーザによるタッチパネル１０９の操作を受け付けて、ユーザによる操作に応じた指令を表示制御部１１４に送る。なお、本実施形態においては、タッチパネル１０９は、人の指による接触操作を検知する一方で、端末装置の接触を検知しない。そのため、タッチパネル１０９は、端末装置が載置された状態において、ユーザによる接触操作のみを検知する。
【００７６】
充電制御部１１０は、端末装置２００ｂに対応するオブジェクト４００ｂを、端末装置２００ａに対応するオブジェクト４００ａの上に重ねて表示する。そして、充電制御部１１０は、図８（ｃ）〜図８（ｆ）に示すように、端末装置２００ｂを優先的に充電し、端末装置２００ｂの充電完了後に、端末装置２００ａを充電する。なお、図８（ｃ）〜図８（ｆ）におけるオブジェクトの表示処理は、図７に示す実施形態と同様であるので、詳細な説明を省略する。
【００７７】
図９は、ユーザが充電目標を設定する場合のオブジェクトの表示処理を説明する図である。なお、図４と同様に、図９の左側には、端末装置２００を充電している状態を上側からみた図を示し、図９の右側には、デバイス表示パネル２０６が二次電池２０９の充電状態を表す充電アイコンを表示している図を示す。
【００７８】
本実施形態に係るオブジェクト４２０は、上記した最大容量オブジェクト４０１および残容量オブジェクト４１２と、充電目標オブジェクト４２１とを含む。本実施形態に係る充電目標オブジェクト４２１は、最大容量オブジェクト４０１および残容量オブジェクト４１２と同心である実線の円として表現されている。ここで、充電目標オブジェクト４２１は、ユーザの操作によって、最大容量オブジェクト４０１の中心から最大容量オブジェクト４０１までの範囲で半径が変化するように表示される。
【００７９】
図９（ａ）は、端末装置２００の二次電池２０９の残容量が０％である状態を示す。上記実施形態と同様に、二次電池２０９の残容量が０％である状態においては、充電制御部１１０は、残容量オブジェクト４１２を表示せず、最大容量オブジェクト４０１と充電目標オブジェクト４２１を表示させる。なおここでは、充電目標の初期設定値として９０％を設定し、これに相当する充電目標オブジェクト４２１を表示する。一方、端末装置２００側においては、デバイスシステム制御部２０１が、二次電池２０９の残容量が０％であることを示す充電アイコン２１１を、デバイス表示パネル２０６に表示させる。
【００８０】
図９（ｂ）は、ユーザが充電目標を設定している状態を示す図である。充電目標を設定する場合、ユーザは、充電目標オブジェクト４２１に相当するタッチパネル１０９上の位置に触れ、図９（ｂ）中の矢印Ａに示すように、充電目標オブジェクト４２１の径方向に向けて接触操作する。充電制御部１１０は、ユーザによるタッチパネル１０９の操作を受け付けて、ユーザによる操作に応じた指令を表示制御部１１４に送る。
【００８１】
表示制御部１１４は、充電制御部１１０からの指令を受けて、充電目標オブジェクト４２１を、最大容量オブジェクト４０１の中心から最大容量オブジェクト４０１までの範囲内で拡大／縮小表示する。このように充電目標オブジェクト４２１を表示することによって、ユーザは、自身の設定する充電目標値を視覚的に認識することができる。
【００８２】
例えば、ユーザがタッチパネル１０９をなぞって充電目標オブジェクト４２１の径を初期設定値の９０％相当から６０％相当へ変更した場合、充電制御部１１０は、まず、充電ワークメモリ１１７に記録された充電目標値を６０％に変更する。そして、充電制御部１１０は、この充電目標値に向かって端末装置２００への給電を開始する。
【００８３】
図９（ｃ）は、端末装置２００の二次電池２０９の残容量が３０％となるまで充電された状態を示す。この場合、充電制御部１１０は、最大容量オブジェクト４０１に対して３０％の半径の円領域として表現される残容量オブジェクト４１２を、表示パネル１０３に表示させる。一方、端末装置２００側においては、二次電池２０９の残容量が３０％であることを示す充電アイコン２１２が、デバイス表示パネル２０６に表示される。
【００８４】
図９（ｄ）は、端末装置２００の二次電池２０９の残容量が６０％となるまで充電された状態を示す。この場合、充電制御部１１０は、最大容量オブジェクト４０１に対して６０％の半径の円領域として表現される残容量オブジェクト４１２を、表示パネル１０３に表示させる。このとき残容量オブジェクト４１２の外周は、充電目標オブジェクト４２１に一致する。一方、端末装置２００ａ側においては、二次電池２０９の残容量が６０％であることを示す充電アイコン２１３が、デバイス表示パネル２０６に表示される。
【００８５】
なお、充電制御部１１０は、二次電池２０９が充電目標値に達するまで充電された場合に、残容量を文字として表示パネル１０３に表示させてもよい。例えば、本実施形態の場合、充電制御部１１０は、充電目標値までの充電が完了したときに、「６０％の充電が完了しました」という文字を表示パネル１０３に表示させてもよい。充電制御部１１０は、通信部１１６を介して二次電池２０９の充電状態が充電目標値に達した旨の通知を受信したら、給電コイル１１１による給電を停止する。
【００８６】
図１０は、ユーザが、充電ユニット１００の表示パネルに表示させるオブジェクトの種類を変更する場合における表示処理を説明する図である。本実施形態においては、ユーザは、オブジェクトの表示領域に対応するタッチパネル１０９上の領域を接触操作することによって、表示パネル１０３に表示されるオブジェクトの種類を変更することができる。
【００８７】
表示されるオブジェクトの種類としては、上記した未充電容量オブジェクト４０２、残容量オブジェクト４１２の他に、端末装置２００の利用可能状況に関するオブジェクト、または充電情報以外の付随情報に関するオブジェクトが挙げられる。端末装置２００の利用可能状況に関するオブジェクトとしては、例えば、端末装置２００の継続利用可能時間、端末装置２００を用いて動画撮影することができる残り時間、静止画撮影することができる枚数等を示すオブジェクトが挙げられる。また、付随情報に関するオブジェクトとしては、例えば、充電完了までに要すると予想される時間、端末装置２００を充電した総回数、予想電池寿命等を示すオブジェクトが挙げられる。充電システムメモリ１１８は、これら各種オブジェクトのテンプレートデータを予め記録してもよい。
【００８８】
図１０（ａ）は、充電ユニット１００の表示パネル１０３に、図５に示すオブジェクト４１０が表示された状態を示す。なお、図１０（ａ）に示す例においては、充電制御部１１０は、オブジェクト４１０に付随させて、オブジェクト４１０の種類を表す文字のオブジェクト４１３を、端末装置２００の位置から予め定められた範囲に含まれるように、表示パネル１０３に表示させている。
【００８９】
この状態において、ユーザが、オブジェクト４１０の表示領域に対応するタッチパネル１０９上の領域を接触操作すると、充電制御部１１０は、ユーザによるタッチパネル１０９の操作を受け付ける。充電制御部１１０は、次に表示パネル１０３に表示すべきオブジェクトのデータを充電システムメモリ１１８から読み出す。
【００９０】
例えば、図１０（ｂ）に示すように、端末装置２００において現在の残容量により動画撮影をすることができる残り撮影可能時間を、文字情報を含むオブジェクト４３０として表示する。具体的には、充電制御部１１０は、端末装置２００から二次電池２０９の残容量と、端末装置２００の動画撮影における標準消費電力の情報を受け取り、動画撮影の残り撮影可能時間を算出する。そして、充電制御部１１０は、この残り撮影可能時間に対応するオブジェクトのデータを充電システムメモリ１１８から読み出して、表示パネル１０３に表示する。この場合、充電制御部１１０は、例えば残り撮影可能時間の多寡に応じて、文字と共に表示されるオブジェクトを拡大／縮小してもよい。
【００９１】
ユーザがオブジェクト４３０の表示領域に対応するタッチパネル１０９上の領域を更に接触操作すると、図１０（ｃ）に示すように、充電制御部１１０は、端末装置２００において現在の残容量により静止画撮影をすることができる残り撮影可能枚数を、文字情報を含むオブジェクト４４０として表示する。具体的には、充電制御部１１０は、端末装置２００から二次電池２０９の残容量と、端末装置２００の静止画撮影における標準消費電力の情報を受け取り、静止画撮影の残り撮影可能枚数を算出する。そして、充電制御部１１０は、この残り撮影可能枚数に対応するオブジェクトのデータを充電システムメモリ１１８から読み出して、表示パネル１０３に表示する。この場合、充電制御部１１０は、例えば残り撮影可能枚数の多寡に応じて、文字と共に表示されるオブジェクトを拡大／縮小してもよい。
【００９２】
ユーザがオブジェクト４４０の表示領域に対応するタッチパネル１０９上の領域を更に接触操作すると、図１０（ｄ）に示すように、充電制御部１１０は、二次電池２０９をこれまで充電した総回数および予想電池寿命に関する情報を、文字情報を含むオブジェクト４５０として表示する。具体的には、充電制御部１１０は、端末装置２００から二次電池２０９の電池機種情報と充電総回数を受け取り、充電システムメモリに記録されている当該電池機種の標準充電可能回数と比較する。そして、充電制御部１１０は、この充電総回数とあと何回充電できるかについての予測回数をオブジェクト化して表示パネル１０３に表示する。この場合、充電制御部１１０は、例えば予測回数の多寡に応じて、文字と共に表示されるオブジェクトを拡大／縮小してもよい。
【００９３】
図１１は、図４、図６および図９を用いて説明した実施形態の動作フローを示すフローチャートである。図１１に示す動作フローは、ユーザによって充電ユニット１００の電源スイッチ１０５がオンとされたときに開始する。
【００９４】
ステップＳ１０１において、充電制御部１１０は、充電ユニット１００の上に端末装置２００が載置されたか否かを判断する。具体的には、充電制御部１１０は、位置検出部１０２の内部に配設された位置検出コイル１１５の検出電流の変化によって、端末装置２００が載置されたことを検出する。充電制御部１１０は、充電ユニット１００の上に端末装置２００が載置されたと判断すると、ステップＳ１０２へ進む。一方、充電制御部１１０は、端末装置２００が載置されていないと判断すると、ステップＳ１１８へ進む。
【００９５】
ステップＳ１０２において、充電制御部１１０は、端末装置２００に内蔵された受電コイル２１０の位置を演算する。そして、ステップＳ１０３において、充電制御部１１０は、給電コイル１１１を移動させる。具体的には、充電制御部１１０は、給電コイル駆動部１２０の第一モータ１２２および第二モータ１２４を制御し、給電コイル１１１が搭載されたコイル支持台１３９を駆動する。コイル支持台１３９を駆動することによって、充電制御部１１０は、給電コイル１１１を、受電コイル２１０の位置に向けて移動させる。
【００９６】
ステップＳ１０４において、充電制御部１１０は、給電コイル１１１が受電コイル２１０の位置に配置されたか否かを判断する。充電制御部１１０は、給電コイル１１１が受電コイル２１０の位置に配置されたと判断すると、ステップＳ１０５へ進む。一方、充電制御部１１０は、給電コイル１１１が受電コイル２１０の位置に配置されていないと判断すると、ステップＳ１０３へ戻る。
【００９７】
ステップＳ１０５において、充電制御部１１０は、端末装置２００から充電情報を取得する。具体的には、充電制御部１１０は、通信部１１６を介して、端末装置２００に対して残容量等の充電情報の送信を要求する。デバイスシステム制御部２０１は、充電ユニット１００から、充電情報の送信要求を受けると、デバイス通信部２０８を介して充電ユニット１００側に要求された充電情報を送信する。
【００９８】
ステップＳ１０６において、充電制御部１１０は、充電情報に関するオブジェクトを表示パネル１０３に表示させる。例えば図６に示す例の場合、充電制御部１１０は、端末装置２００の外形の中心位置を基準として、未充電容量オブジェクト４０２を表示する。また、図９に示す例の場合、充電目標オブジェクト４２１を表示する。ステップＳ１０７において、充電制御部１１０は、給電コイル１１１による給電を開始する。具体的には、充電制御部１１０は、給電制御部１１２に端末装置２００の受電コイル２１０に対する給電開始の指令を送る。給電制御部１１２は、充電制御部１１０からの指令に応じて、給電コイル１１１に給電を開始させる。
【００９９】
ステップＳ１０８において、充電制御部１１０は、端末装置２００から充電情報を取得する。そして、ステップＳ１０９において、充電制御部１１０は、充電情報に関するオブジェクトの表示を更新する。具体的には、充電制御部１１０は、図４を用いて説明したように、取得した残容量等の充電情報に同期して、未充電容量オブジェクト４０２の円領域を更新する。例えば図４（ｂ）の例の場合、充電制御部１１０は、最大容量オブジェクト４０１に対して７０％の半径の円領域として、未充電容量オブジェクト４０２を表示させる。
【０１００】
ステップＳ１１０において、充電制御部１１０は、充電ユニット１００の上に新たに他の端末装置２００が載置されたか否かを判断する。充電制御部１１０は、他の端末装置２００が載置されたと判断すると、ステップＳ１１９へ進む。一方、充電制御部１１０は、他の端末装置２００が載置されていないと判断すると、ステップＳ１１１へ進む。
【０１０１】
ステップＳ１１９において、充電制御部１１０は、すでに載置されていた先の端末装置２００への給電を停止する。具体的には、充電制御部１１０は、給電制御部１１２に端末装置２００の受電コイル２１０に対する給電停止の指令を送る。給電制御部１１２は、充電制御部１１０からの指令に応じて、給電コイル１１１の給電を停止させる。
【０１０２】
先の端末装置２００への給電を停止したらステップＳ１２０へ進み、充電制御部１１０は、新たに載置された他の端末装置２００を給電の対象に切り替える。そして、この他の端末装置を処理すべくステップＳ１０２へ戻る。
【０１０３】
なお、複数台の端末装置２００が載置された場合には、ステップＳ１０６において、充電制御部１１０は、新たに給電対象とした端末装置２００のオブジェクトを、ステップＳ１１９で給電を停止した端末装置２００のオブジェクトに対して優先的に表示させる。具体的には、図７（ａ）に示すように、充電制御部１１０は、端末装置２００ａに対応するオブジェクト４００ａを、端末装置２００ｂに対応するオブジェクト４００ｂの上に重ねて表示する。
【０１０４】
ステップＳ１１１において、充電制御部１１０は、ユーザによって充電目標が変更されたか否かを判断する。図９に示す例の場合、充電制御部１１０は、ユーザによって充電目標オブジェクト４２１に対応するタッチパネル１０９上の領域に対して接触操作がされたか否かを判断する。充電制御部１１０は、充電目標が変更されたと判断すると、ステップＳ１１２へ進む。一方、充電制御部１１０は、充電目標が変更されていないと判断すると、ステップＳ１１３へ進む。
【０１０５】
ステップＳ１１２において、充電制御部１１０は、充電情報に関するオブジェクトの表示を更新する。図９に示す例の場合、充電制御部１１０は、ユーザからのタッチパネル１０９の接触操作に応じて、充電目標オブジェクト４２１を拡大／縮小させる。そして、充電制御部１１０は、ユーザによって指定された充電目標値を充電ワークメモリ１１７に記録する。
【０１０６】
ステップＳ１１３において、充電制御部１１０は、端末装置２００の位置が移動したか否かを判断する。充電制御部１１０は、端末装置２００の位置が移動していないと判断すると、ステップＳ１１４へ進む。一方、充電制御部１１０は、端末装置２００の位置が移動したと判断すると、ステップＳ１１５へ進む。
【０１０７】
ステップＳ１１４において、充電制御部１１０は、端末装置２００の二次電池２０９の充電が完了したか否かを判断する。例えば図４に示す例の場合、充電制御部１１０は、端末装置２００の二次電池２０９が満充電となった場合に、二次電池２０９の充電が完了したと判断する。一方、図９（ｄ）に示す例の場合、充電制御部１１０は、充電ワークメモリ１１７に記録された充電目標値を参照し、現在の充電状況が当該充電目標値に到達した場合に、二次電池２０９の充電が完了したと判断する。充電制御部１１０は、二次電池２０９の充電が完了したと判断すると、ステップＳ１１６へ進む。一方、充電制御部１１０は、二次電池２０９の充電が完了していないと判断すると、ステップＳ１０８へ戻る。
【０１０８】
ステップＳ１１５において、充電制御部１１０は、端末装置２００が予め定められた領域外に移動したか否かを判断する。具体的には、充電制御部１１０は、位置検出コイル１１５からの検出電流の変化を検出し、端末装置２００が表示パネル１０３の表示領域１０８から予め定められた距離だけ離隔したか否かを判断する。この場合において、充電システムメモリ１１８は、端末装置２００と表示領域１０８との間の距離と、位置検出コイル１１５からの検出電流との関係に関する距離相関データを予め記録してもよい。そして、充電制御部１１０は、位置検出コイル１１５からの検出電流と距離相関データとを参照し、端末装置２００が表示パネル１０３の表示領域１０８から予め定められた距離だけ離隔したか否かを判断してもよい。
【０１０９】
充電制御部１１０は、端末装置２００が表示パネル１０３の表示領域１０８から予め定められた距離だけ離隔したことを検出した場合、端末装置２００がユーザによって取り上げられたものと判断する。充電制御部１１０は、端末装置２００が予め定められた領域外に移動したと判断すると、ステップＳ１１６へ進む。一方、充電制御部１１０は、端末装置２００が予め定められた領域外に移動していないと判断すると、ステップＳ１０２へ戻る。
【０１１０】
ステップＳ１１６において、充電制御部１１０は、給電コイル１１１による給電を停止する。具体的には、充電制御部１１０は、給電制御部１１２に端末装置２００の受電コイル２１０に対する給電停止の指令を送る。給電制御部１１２は、充電制御部１１０からの指令に応じて、給電コイル１１１の給電を停止させる。
【０１１１】
ステップＳ１１７において、充電制御部１１０は、ステップＳ１１６で給電を停止した端末装置２００以外に載置されている端末装置２００の充電状況を確認する。そして、載置されている端末装置２００のうち、未充電のままとなっているものがあると判断すればステップＳ１２１へ進み、載置されている全ての端末装置２００の充電が完了していると判断すればステップＳ１１８へ進む。
【０１１２】
ステップＳ１２１において、充電制御部１１０は、充電が未完了の他の端末装置２００を給電の対象に切り替える。例えば、ステップＳ１１９で、他の端末装置２００が新たに載置されたために給電を停止された先の端末装置２００は、ステップＳ１２１における切り替え対象となる。特に、先の端末装置２００の充電が完了しないうちに次々と新たな端末装置２００が載置された場合には、例えば、充電制御部１１０は、載置された順とは逆順に辿って順次給電対象を切り替えることができる。もちろん、図８を用いて説明したように、ユーザの指定を受け付けて充電の優先順位を決定しても良い。そして、給電対象として切り替えた端末装置２００を処理すべくステップＳ１０２へ戻る。
【０１１３】
ステップＳ１１８において、充電制御部１１０は、充電ユニット１００の電源スイッチ１０５がオフとされたか否かを判断する。充電制御部１１０は、充電ユニット１００の電源スイッチ１０５がオフとされていないと判断すると、ステップＳ１０１へ戻る。一方、充電制御部１１０は、充電ユニット１００の電源スイッチ１０５がオフとされたと判断すると、図１１に示す動作フローを終了する。
【０１１４】
また、上記した実施形態においては、充電制御部１１０は、充電情報に関するオブジェクトとして、円形のオブジェクトを表示した場合について述べた。しかし、これに限らず、充電制御部１１０は、上述の通り様々な態様のオブジェクトを採用し得る。
【０１１５】
上記した実施形態においては、充電制御部１１０は、未充電容量オブジェクト４０２または残容量オブジェクト４１２のように、円領域の拡大／縮小によって二次電池２０９の充電進行状況を表示した場合について述べた。しかし、これに限らず、例えば円グラフまたは棒グラフのメータのように、二次電池２０９の充電進行状況を視覚的に把握可能であれば、如何なる態様のメータをオブジェクトに適用してもよい。また、オブジェクト形状の変化のみならず、オブジェクトの色の濃淡、色の種類、模様の変化等によって充電進行状況を表現してもよい。
【０１１６】
また、端末装置は、充電動作に伴って、画像処理、ＧＰＳ情報更新等の各種処理を実行してもよい。そして、充電制御部１１０は、端末装置から、画像処理等の動作状況に関する動作情報を併せて取得し、未充電容量オブジェクト４０２または残容量オブジェクト４１２のように充電情報に関するオブジェクトに加えて、動作情報に関するオブジェクトを表示させてもよい。
【０１１７】
また、上記した実施形態においては、給電コイル駆動部１２０が一つの給電コイル１１１を駆動する場合について述べたが、これに限らず、給電コイル駆動部１２０が複数の給電コイル１１１を駆動する形態であってもよい。この場合、例えば図２に示す装置を上下方向に積層して多段構造とすることによって、複数の給電コイル１１１を独立的に駆動することができる。
【０１１８】
また、上記した実施形態においては、給電コイル駆動部１２０が給電コイル１１１を端末装置２００の受電コイル２１０に向けて移動させる場合について述べた。しかし、これに限らず、複数の給電コイルを充電部１０１にマトリックス状に配設することによって、受電コイル２１０に給電する構成であってもよい。この場合、充電制御部１１０は、まず端末装置２００の受電コイル２１０の位置を特定し、当該受電コイル２１０の位置の近傍に配置された１以上の給電コイルを用いて、受電コイル２１０に給電する。なお、複数の給電コイルは、鉛直方向に複数段に積層された多段構造として構成されてもよい。
【０１１９】
また、上記した実施形態においては、充電制御部１１０が、位置検出コイル１１５を用いて端末装置２００の受電コイル２１０の位置を特定する場合について述べた。しかし、これに限らず、充電制御部１１０は、位置検出部１０２にフォトリフレクタアレイを配設し、光の反射を利用して端末装置２００の位置を特定してもよい。また、充電制御部１１０は、タッチパネル１０９からの出力信号を参照して、端末装置２００の位置を特定してもよい。タッチパネル１０９としては、静電容量方式、抵抗膜方式、赤外線方式、電磁誘導方式等、いずれの方式のタッチパネルを適用してもよい。また、圧電膜等のように、荷重に対して電気信号を出力するセンサを適用してもよい。
【０１２０】
上記の実施形態においては、表示パネル１０３として液晶パネルを例に説明した。しかし、オブジェクトを表示する表示部は液晶パネルを含む場合に限らず、様々な形態を採用し得る。例えば、ＬＥＤのドットマトリックス、プロジェクターであっても良い。プロジェクターを採用する場合には、載置台に重畳して設置される投影スクリーンが表示部の一部として機能する。
【０１２１】
上記の実施形態においては、表示部１１３は、端末装置２００の充電情報を端末装置２００の位置から予め定められた範囲に含まれるように表示した。ここで、予め定められた距離とは、載置される端末装置２００と表示されるオブジェクトの関連性が視覚的に認識できる範囲であり、載置される端末装置２００の大きさ、台数、載置台の大きさ等の要因によって適宜設定される。上述の実施例のように、端末装置２００と一部が重なるようにオブジェクトを表示すれば、関連性の認識はより容易となる。
【０１２２】
また、上記した端末装置としては、カメラ付き携帯電話、タブレット型端末装置、ＰＤＡ等の各種端末装置を適用することができる。また、上記した実施形態においては、被充電デバイスとして、カメラ付き携帯電話のような端末装置を例として説明した。デジタルカメラを充電する場合であれば、デジタルカメラは、充電動作に伴って、ＲＡＷ現像処理、その他の画像処理等の各種処理を実行してもよい。この場合において、充電制御部１１０は、デジタルカメラから動作状況に関する動作情報を併せて取得し、未充電容量オブジェクト４０２または残容量オブジェクト４１２のように充電進行状況を示すオブジェクトに加えて、動作情報を示すオブジェクトを表示させてもよい。
【０１２３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１２４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１２５】
１００  充電ユニット、１０１  充電部、１０２  位置検出部、１０３  表示パネル、１０５  電源スイッチ、１０６  電源コンセント、１０７  枠部、１０８  表示領域、１０９  タッチパネル、１１０  充電制御部、１１１  給電コイル、１１２  給電制御部、１１３  表示部、１１４  表示制御部、１１５  位置検出コイル、１１６  通信部、１１７  充電ワークメモリ、１１８  充電システムメモリ、１１９  充電ユニット電源部、１２０  給電コイル駆動部、１２１，１２３  ボールネジ、１２２  第一モータ，１２４  第二モータ、１２５，１２６，１３４，１３５、１４０，１４１  取り付け部材、１２７，１３３  支持レール、１２８，１２９  取り付け部材、１３０，１３６  コイル駆動レール、１３１，１３７  ネジ連結部、１３２，１３８  レール連結部、１３９  コイル支持台、１４２  給電導線、２００  端末装置、２０１  デバイスシステム制御部、２０２  撮像ユニット、２０３  記録部、２０４  デバイスワークメモリ、２０５  デバイスシステムメモリ、２０６  デバイス表示パネル、２０７  デバイス表示制御部、２０８  デバイス通信部、２０９  二次電池、２１０  受電コイル、２１１，２１２，２１３，２１４  充電アイコン、３００  ＰＣ、３０１  通信ケーブル、４００，４１０，４１３，４２０，４３０，４４０，４５０  オブジェクト、４０１  最大容量オブジェクト、４０２  未充電容量オブジェクト、４１２  残容量オブジェクト、４２１  充電目標オブジェクト
【図１】
2014003790.tif 000003
【図２】
2014003790.tif 000004
【図３】
2014003790.tif 000005
【図４】
2014003790.tif 000006
【図５】
2014003790.tif 000007
【図６】
2014003790.tif 000008
【図７】
2014003790.tif 000009
【図８】
2014003790.tif 000010
【図９】
2014003790.tif 000011
【図１０】
2014003790.tif 000012
【図１１】
2014003790.tif 000013